(57)【要約】【課題】スマートフォンその他の情報処理端末に接続して当該情報処理端末に給電する用途に使用されるモバイルバッテリに新たな付加価値を与える。【解決手段】ユーザが把持することのできる把持部を有した筐体と、前記把持部を把持したユーザが自身の口元に位置づけることができるように前記筐体の端部に設けた音声入力用のマイクと、前記筐体に収容した給電用の電池と、前記マイクを介して集音した音声情報を外部の情報処理端末に向けて送信しかつ前記電池が放電する電力を同情報処理端末に供給するための有線接続インタフェースとを具備するモバイルバッテリを構成した。【選択図】図１
2017079416.tif 000002
【特許請求の範囲】
【請求項１】
ユーザが把持することのできる把持部を有した筐体と、
前記把持部を把持したユーザが自身の口元に位置づけることができるように前記筐体の端部に設けた音声入力用のマイクと、
前記筐体に収容した給電用の電池と、
前記マイクを介して集音した音声情報を外部の情報処理端末に向けて送信しかつ前記電池が放電する電力を同情報処理端末に供給するための有線接続インタフェースと
を具備するモバイルバッテリ。
【請求項２】
前記把持部が軸方向に伸長した円筒状または切頭円錐状の外形をなす請求項１記載のモバイルバッテリ。
【請求項３】
前記電池が二次電池であり、
交流電源のコンセントに接続できるＡＣプラグと、
前記ＡＣプラグを介してコンセントから供給される交流電力を直流に変換して前記二次電池に充電するためのＡＣ／ＤＣアダプタと
を具備する請求項１または２記載のモバイルバッテリ。
【請求項４】
前記有線接続インタフェースがＵＳＢ規格に則ったものである請求項１、２または３記載のモバイルバッテリ。
【発明の詳細な説明】
【技術分野】
【０００１】
本発明は、スマートフォンその他の情報処理端末に接続して当該情報処理端末に給電する用途に使用できる、外付けのモバイルバッテリに関する。
【背景技術】
【０００２】
近時普及を見ているスマートフォンは、高機能かつ高性能である分、多くの電力を消費する。この種の情報処理端末の稼働時間を延長する目的で、当該情報処理端末に対して着脱自在のモバイルバッテリ（例えば、下記特許文献を参照）が用いられることが少なくない。
【０００３】
一般に、モバイルバッテリは、ある程度の大きさ及び重量を有している。情報処理端末の予備電源としての機能しか発揮し得ないモバイルバッテリを常時携行することは、ともすれば億劫になりがちである。
【先行技術文献】
【特許文献】
【０００４】
【特許文献１】特開２０１３−２４２９７６号公報
【発明の概要】
【発明が解決しようとする課題】
【０００５】
本発明は、モバイルバッテリに新たな付加価値を与えることを所期の目的としている。
【課題を解決するための手段】
【０００６】
本発明では、ユーザが把持することのできる把持部を有した筐体と、前記把持部を把持したユーザが自身の口元に位置づけることができるように前記筐体の端部に設けた音声入力用のマイクと、前記筐体に収容した給電用の電池と、前記マイクを介して集音した音声情報を外部の情報処理端末に向けて送信しかつ前記電池が放電する電力を同情報処理端末に供給するための有線接続インタフェースとを具備するモバイルバッテリを構成した。なお、情報処理端末とは、いわゆるスマートフォンその他の携帯電話端末、ＰＨＳ（Ｐｅｒｓｏｎａｌ  Ｈａｎｄｙ−ｐｈｏｎｅ  Ｓｙｓｔｅｍ）端末、携行可能なタブレット型コンピュータやノートブック型コンピュータ、携帯ビデオゲーム機等を包括した概念である。
【０００７】
前記把持部は、軸方向に伸長した円筒状または切頭円錐状の外形をなすものとすることが好ましい。
【０００８】
さらに、前記電池が二次電池である場合に、交流電源のコンセントに接続できるＡＣプラグと、前記ＡＣプラグを介してコンセントから供給される交流電力を直流に変換して前記二次電池に充電するためのＡＣ／ＤＣアダプタとを具備するモバイルバッテリとすれば、本モバイルバッテリ単体で交流電源のコンセントから二次電池に充電を行うことができ、利便性がより高まる。
【０００９】
前記有線接続インタフェースは、データ信号送信線と電力供給線とを両備した汎用的なバス規格、例えばＵＳＢ（Ｕｎｉｖｅｒｓａｌ  Ｓｅｒｉａｌ  Ｂｕｓ）規格に則ったものであることが好ましい。
【発明の効果】
【００１０】
本発明によれば、モバイルバッテリに新たな付加価値、具体的には情報処理端末とともに使用できるマイクとしての効用を付与することができる。
【図面の簡単な説明】
【００１１】
【図１】本発明の一実施形態のモバイルバッテリの外観を示す図。
【図２】同実施形態のモバイルバッテリの外観を示す図。
【図３】同実施形態のモバイルバッテリの回路構成を概略的に示す図。
【図４】同実施形態のモバイルバッテリの使用例を示す図。
【図５】本発明の変形例のモバイルバッテリの外観を示す図。
【発明を実施するための形態】
【００１２】
本発明の一実施形態を、図面を参照して説明する。図１ないし図４に示す本実施形態のマイク一体型モバイルバッテリ１は、ユーザが把持することのできる把持部２１を有した棒状の筐体２の端部にマイク３を実装し、ユーザの肉声や歌声その他の音声を集音する機能を付加したものである。勿論、本モバイルバッテリ１は、既存のモバイルバッテリと同様、スマートフォンに代表される情報処理端末９に接続して当該情報処理端末９に給電することができる。
【００１３】
図１及び図２に示すように、本モバイルバッテリ１の筐体２は、軸方向に伸長した全体的に円筒状の外形をなす。従って、把持部２１もまた円筒状となっている。マイク３は、筐体２における、把持部２１から軸方向に沿って離れた先端部即ち上端部に存在しており、把持部２１を把持したユーザが容易に自身の口元にマイク３を位置づけることが可能となっている。
【００１４】
また、筐体２の上端は、マイク３の上端よりも若干上方に突出している。換言すれば、筐体２の上端部に、マイク３を取り囲むような周縁２３を形成している。これにより、本モバイルバッテリ１の運搬時等にマイク３が他の物品類を衝突する可能性を軽減し、マイク３部分の保護を図っている。
【００１５】
マイク３は、筐体２の軸方向に沿って上方の指向性を向上させている。即ち、上方からの音の感度が他の方向からの音と比較して高く、ユーザの口元で集音する場合にユーザの発声音以外のノイズ等を拾うことを低減している。これは、本モバイルバッテリ１をカラオケ用のマイク等として利用する際に、ユーザの歌声等は集音するが伴奏等の他の音を集音しないために効果的である。
【００１６】
図３に示すように、本モバイルバッテリ１の筐体２内には、マイク３を介して入力される音声信号をＡ／Ｄ変換するためのＡ／Ｄ変換回路部４と、Ａ／Ｄ変換回路部４にてディジタルデータ化した音声情報を一時記憶するメモリ（または、バッファ）及び当該音声情報を外部に向けて送信するための通信制御回路部５と、Ａ／Ｄ変換回路部４や通信制御回路部５さらには情報処理端末９に対する電力供給源となる二次電池６と、家庭における電灯線等の交流商用電源から供給される交流電力を直流に変換して二次電池６を充電するためのＡＣ／ＤＣアダプタ回路部７とを収容している。
【００１７】
通信制御回路部５は、本モバイルバッテリ１と情報処理端末９とを接続する有線接続インタフェース８を通じて音声情報を送出する。本実施形態では、有線接続インタフェース８として、データ信号送信線と電力供給線とを両備した汎用的なバス規格の一種であるＵＳＢ（Ｕｎｉｖｅｒｓａｌ  Ｓｅｒｉａｌ  Ｂｕｓ）を採用している。情報処理端末９との接続のためのケーブルであるＵＳＢケーブル８１の情報処理端末９側のコネクタは、例えばマイクロＵＳＢプラグ（オス側コネクタ）８２とする。このケーブル８１は、本モバイルバッテリ１から取り外し可能としてもよいし、取り外し不能としてもよい。ケーブル８１を本モバイルバッテリ１から取り外し可能とする場合には、例えば筐体２にＵＳＢソケット（メス側コネクタ）８４を設けるとともに、ケーブル８１のモバイルバッテリ１側のコネクタをＵＳＢソケット８４に接続可能なＵＳＢプラグ（オス側コネクタ）８３として、ケーブル８１を筐体２に対して着脱自在とする。
【００１８】
通信制御回路部５は、ＵＳＢ規格に則り、ケーブル８１を介して接続している情報処理端末９に向けて音声情報を送信することができる。のみならず、本モバイルバッテリ１が包有している二次電池６が放電する電荷を、同じ有線接続インタフェース８及びケーブル８１を介して情報処理端末９に供給することができる。さらには、マイク３から入力された音声情報の情報処理端末９への送信と、情報処理端末９への給電とを、同時に並行して実行することも可能である。
【００１９】
二次電池６の充電容量は、スマートフォンその他の情報処理端末９を複数回、または複数台の情報処理端末９を満充電できる程度の大容量とすることが望ましい。例えば、二次電池６の容量を２３０００ｍＡｈ以上に設定すれば、既製のスマートフォン９を約九回充電することが可能なモバイルバッテリ１となる。
【００２０】
本モバイルバッテリ１のＡＣ／ＤＣアダプタ回路部７を交流電源に接続するためのＡＣプラグ２２は、筐体２外に表出している。本実施形態では、筐体２の下端部にＡＣプラグ２２を配置している。ＡＣプラグ２２は、その基端部を中心として回動可能となっており、図２に示すように筐体２の外側面から外方に突出する突出状態と、図１に示すように筐体２の外側面から外方に突出しない収納状態とを選択的にとり得る。
【００２１】
本モバイルバッテリ１は、例えば図４（Ａ）に示すように、ユーザの肉声や歌声を情報処理端末９内の記憶装置に記憶させたり、情報処理端末９が接続する電気通信回線（インターネット、携帯電話網やＰＨＳ網その他の無線通信網、無線ＬＡＮ（Ｌｏｃａｌ  Ａｒｅａ  Ｎｅｔｗｏｒｋ）等）経由で遠隔地に送信（サーバコンピュータへのアップロードを含む）したりする用途に利用できる。近時の情報処理端末９は、静止画像や動画像を撮影可能なカメラ機能を有していることが多く、当該カメラにより撮影した画像とマイク３から入力した音声とを結合したムービーデータファイルを作成して、それを情報処理端末９内の記憶装置に記憶させたり、情報処理端末９が接続する電気通信回線経由で遠隔地に送信したりすることも考えられる。
【００２２】
また、情報処理端末９のディスプレイに映像を表示させ、かつ情報処理端末９のスピーカから伴奏等の音声を出力させながら、ユーザが本モバイルバッテリ１をマイクとして使用し、カラオケやヴォイストレーニング等を行うことも可能である。
【００２３】
あるいは、図４（Ｂ）に示すように、本モバイルバッテリ１をユーザの口元や手元から離して置いた状態で、音声の入力を行っても構わない。典型的には、楽器の演奏の練習や収録等の用途が考えられる。
【００２４】
本モバイルバッテリ１のマイク３から入力した音声情報を情報処理端末９に送信し、これを情報処理端末９内でリアルタイムで音声信号処理した上、情報処理端末９の内蔵スピーカまたは情報処理端末９に接続したスピーカから出力させることもできる。この場合には、情報処理端末９がアンプやエフェクタとしての役割を担うことになる。
【００２５】
本実施形態では、ユーザが把持することのできる把持部２１を有した筐体２と、前記把持部２１を把持したユーザが自身の口元に位置づけることができるように前記筐体２の端部に設けた音声入力用のマイク３と、前記筐体２に収容した給電用の電池６と、前記マイク３を介して集音した音声情報を外部の情報処理端末９に向けて送信しかつ前記電池６が放電する電力を同情報処理端末９に供給するための有線接続インタフェース８とを具備するモバイルバッテリ１を構成した。
【００２６】
本実施形態によれば、情報処理端末９に接続して当該情報処理端末９に給電するためのモバイルバッテリ１に新たな付加価値、具体的には情報処理端末９とともに使用できるマイクとしての効用を付与することができる。ユーザにとっては、モバイルバッテリ１が情報処理端末９の予備電源以外の機能をも発揮することになり、これを常に携行して随時使用するインセンティヴが高まる。また、予備電源のバッテリとマイクとを別々に持ち運ぶ煩わしさを解消できる。
【００２７】
本モバイルバッテリ１の筐体２の把持部２１は、軸方向に伸長した円筒状の外形をなしているため、これを把持しやすく、マイクとしての利用に適したものとなる。
【００２８】
さらに、前記電池６が再充電可能な二次電池であり、本モバイルバッテリ１が、交流電源のコンセントに接続できるＡＣプラグ２２と、前記ＡＣプラグ２２を介してコンセントから供給される交流電力を直流に変換して前記二次電池６に充電するためのＡＣ／ＤＣアダプタ７とを具備しているため、本モバイルバッテリ１単体で交流電源から電力の供給を受けて二次電池６に適時充電することが可能となっている。
【００２９】
なお、本発明は以上に詳述した実施形態に限られるものではない。例えば、筐体２の形状は上記実施形態におけるものには限定されず、図５に示すように、把持部２１が切頭円錐状（換言すれば、テーパ状）の外形をなしていても構わない。図５に示している変形例では、筐体２の外形がほぼ全体に亘って軸方向に伸長し、上端部から下端部に向かうにつれて外径が少しずつ縮小してゆくような切頭円錐状となっている。
【００３０】
上記実施形態にあって、電池６は二次電池であったが、再充電不能な乾電池等を電池として筐体内に備えるものとしても構わない。その場合、当該乾電池等が筐体に対して着脱可能かつ交換可能であるように、筐体の構造を構成することが好ましい。また、ＡＣプラグ２２及びＡＣ／ＤＣアダプタ回路部７は、モバイルバッテリ１の要素として必須ではない。
【００３１】
その他、各部の具体的構成は、本発明の趣旨を逸脱しない範囲で種々変形が可能である。
【符号の説明】
【００３２】
１…モバイルバッテリ
２…筐体
２１…把持部
２２…ＡＣプラグ
３…マイク
６…二次電池
７…ＡＣ／ＤＣアダプタ
８…有線接続インタフェース
９…情報処理端末
【図１】
2017079416.tif 000003
【図２】
2017079416.tif 000004
【図３】
2017079416.tif 000005
【図４】
2017079416.tif 000006
【図５】
2017079416.tif 000007